(57)【要約】【課題】スリープモードにより電源がオフした場合に、再び自動的に電源がオフされることを防止できるプロジェクターを提供する。【解決手段】記憶部２１は信号検出部５が画像信号を第１の時間検出しなかった場合（ステップＳ１０５：Ｎ）に光源１１を消灯するスリープモードを設定するスリープモードフラグ２１ａを有している。制御部２０は、スリープモードフラグ２１ａがセットされている状態で、信号検出部５が画像信号を第１の時間検出しなかった場合（ステップＳ１０８：Ｎ）に光源１１を消灯してから第２の時間経過前に入力操作部より電源オン操作を検出する（ステップＳ１１１：Ｙ)と、光源１１を再度点灯した後に画像投写部１０に警告画面を表示するとともにスリープモードフラグ２１ａをクリアする（ステップＳ１１３）プロジェクター。【選択図】図２
2012141486.tif 000002
【特許請求の範囲】
【請求項１】
光源から射出された光を画像情報に応じて画像光に変調して投写する画像投写部を有するプロジェクターであって、
外部機器から画像信号を入力する信号入力部と、
前記信号入力部に画像信号が入力されているか否かを検出する信号検出部と、
不揮発性の記憶部と、
入力操作を受け付ける操作部と、
前記プロジェクターの動作を制御する制御部と、
を備え、
前記記憶部は前記信号検出部が前記画像信号を第１の時間検出しなかった場合に前記光源を消灯するスリープモードを設定するスリープモードフラグを有し、
前記制御部は、前記スリープモードフラグがセットされている状態において、前記信号検出部が前記画像信号を前記第１の時間検出しなかった場合に前記光源を消灯し、前記光源を消灯してから第２の時間経過前に前記入力操作部より電源オン操作を検出すると、前記光源を再度点灯した後に前記画像投写部に警告画面を表示するとともに前記スリープモードフラグをクリアすることを特徴とするプロジェクター。
【請求項２】
光源から射出された光を画像情報に応じて画像光に変調して投写する画像投写部を有するプロジェクターであって、
外部機器から画像信号を入力する信号入力部と、
前記信号入力部に画像信号が入力されているか否かを検出する信号検出部と、
不揮発性の記憶部と、
入力操作を受け付ける操作部と、
前記プロジェクターの動作を制御する制御部と、
を備え、
前記記憶部は前記信号検出部が前記画像信号を第１の時間検出しなかった場合に前記光源を消灯するスリープモードを設定するスリープモードフラグを有し、
前記制御部は、前記スリープモードフラグがセットされている状態において、前記信号検出部が前記画像信号を前記第１の時間検出しなかった場合に前記光源を消灯し、前記光源を消灯してから第２の時間経過前に前記入力操作部より電源オン操作を検出すると、前記光源を再度点灯した後に前記画像投写部に前記スリープモードを無効にするかの確認メッセージを表示させることを特徴とするプロジェクター。
【請求項３】
請求項１に記載のプロジェクターであって、
前記記憶部は前記スリープモードの設定を保持するか否かを設定するスリープモード中断フラグをさらに有し、
前記制御部は、電源オフ操作を検出した場合に前記スリープモード中断フラグがセットされていたら、前記スリープモードフラグを有効に設定することを特徴とするプロジェクター。
【請求項４】
請求項２に記載のプロジェクターであって、
前記制御部は、スリープモードを無効にするかの確認メッセージに対し、前記入力操作部より、前記スリープモードを無効にする選択操作を検出した場合、前記スリープモードフラグをクリアすることを特徴とするプロジェクター。
【請求項５】
請求項２に記載のプロジェクターであって、
前記記憶部は前記スリープモードの設定を保持するか否かを設定するスリープモード中断フラグをさらに有し、
前記制御部は、スリープモードを無効にするかの確認メッセージに対し、前記入力操作部より、前記スリープモードを中断する選択操作を検出した場合、前記スリープモードフラグをクリアするとともに、前記スリープモード中断フラグをセットし、電源オフ操作を検出した場合に前記スリープモード中断フラグがセットされていたら前記スリープモードフラグを有効に設定することを特徴とするプロジェクター。
【請求項６】
光源から射出された光を画像情報に応じて画像光に変調して投写する画像投写部と、
外部機器から画像信号を入力する信号入力部と、
前記信号入力部に画像信号が入力されているか否かを検出する信号検出部と、
前記信号検出部が前記画像信号を所定の第１の時間検出しなかった場合に前記光源を消灯するスリープモードを設定するスリープモードフラグを記憶する不揮発性の記憶部と、
入力操作を受け付ける操作部と、
前記プロジェクターの動作を制御する制御部と、
を備えたプロジェクターの制御方法であって、
前記スリープモードフラグがセットされている状態において、前記信号検出部が前記画像信号を第１の時間検出しなかった場合に前記光源を消灯するスリープステップと、
前記スリープステップの後、第２の時間経過前に前記入力操作部より電源オン操作を検出すると、前記光源を再度点灯した後に前記画像投写部に警告画面を表示するとともに前記スリープモードフラグをクリアする、スリープキャンセルステップと、
を有することを特徴とする、プロジェクターの制御方法。
【請求項７】
光源から射出された光を画像情報に応じて画像光に変調して投写する画像投写部と、
外部機器から画像信号を入力する信号入力部と、
前記信号入力部に画像信号が入力されているか否かを検出する信号検出部と、
前記信号検出部が前記画像信号を所定の第１の時間検出しなかった場合に前記光源を消灯するスリープモードを設定するスリープモードフラグを記憶する不揮発性の記憶部と、
入力操作を受け付ける操作部と、
前記プロジェクターの動作を制御する制御部と、
を備えたプロジェクターの制御方法であって、
前記スリープモードフラグがセットされている状態において、前記信号検出部が前記画像信号を第１の時間検出しなかった場合に前記光源を消灯するスリープステップと、
前記スリープステップの後、第２の時間経過前に前記入力操作部より電源オン操作を検出すると、前記光源を再度点灯した後に前記画像投写部に前記スリープモードを無効にするかの確認メッセージを表示させる、スリープ解除確認ステップと、
を有することを特徴とする、プロジェクターの制御方法。
【発明の詳細な説明】
【技術分野】
【０００１】
本発明は、プロジェクター、およびその制御方法に関する。
【背景技術】
【０００２】
従来、プロジェクターにおいて、外部機器から画像信号が所定時間入力されないときに電源をオフするスリープモード機能を備えたものが知られている。このようなスリープモードを備えたプロジェクターによれば、プロジェクターが画像を投写していないときに自動的に電源がオフされるので、プロジェクターのランプが無駄に消耗するのを防止することができる。
【０００３】
このようなスリープモードを備えたプロジェクターを、パーソナルコンピューター（Personal Computer；ＰＣ）に接続して投写する使用中において、プレゼンテーションの切り替えなどで、一時的に投写を中断するためにＰＣの画像出力を中断しているときや、ＰＣのスクリーンセーバー機能が働いたときなど、所定時間、プロジェクターに画像信号が入力されない場合、スリープモード機能により、使用者が意図しないときに電源がオフされてしまうことがあった。
一般的に、プロジェクターは電源をオフした直後に再度電源をオンしても、ランプが冷えていないと点灯までに時間がかかり、投写を再開するまでにある程度の時間、待たなければならなかった。
【０００４】
特許文献１には、電源オフの指示があってから、一定の猶予時間後にランプを消灯し、電源をオフするプロジェクターが開示されている。
【先行技術文献】
【特許文献】
【０００５】
【特許文献１】特開平１１−１１９３４０号公報
【発明の概要】
【発明が解決しようとする課題】
【０００６】
しかしながら、このようなプロジェクターでは通常の電源オフ操作時においても、所定の猶予時間はランプが点灯し続けるため、ランプが無駄に消耗してしまうという問題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源から射出された光を画像情報に応じて画像光に変調して投写する画像投写部を有するプロジェクターであって、外部機器から画像信号を入力する信号入力部と、前記信号入力部に画像信号が入力されているか否かを検出する信号検出部と、不揮発性の記憶部と、入力操作を受け付ける操作部と、前記プロジェクターの動作を制御する制御部と、備え、前記記憶部は前記信号検出部が前記画像信号を第１の時間検出しなかった場合に前記光源を消灯するスリープモードを設定するスリープモードフラグを有し、前記制御部は、前記スリープモードフラグがセットされている状態において、前記信号検出部が前記画像信号を前記第１の時間検出しなかった場合に前記光源を消灯し、前記光源を消灯してから第２の時間経過前に前記入力操作部より電源オン操作を検出すると、前記光源を再度点灯した後に前記画像投写部に警告画面を表示するとともに前記スリープモードフラグをクリアすることを特徴とする。
【０００９】
本適用例によれば、スリープモードにより電源がオフした場合、直後に電源をオンすることにより、スリープモードが解除される。これによって、使用者が意図しないうちにスリープモードにより電源がオフした場合、直後に起動すれば、スリープモードが解除されるので、再度、スリープモードにより電源がオフされてしまうのを防止することが可能となる。
【００１０】
［適用例２］本適用例に係るプロジェクターは、光源から射出された光を画像情報に応じて画像光に変調して投写する画像投写部を有するプロジェクターであって、外部機器から画像信号を入力する信号入力部と、前記信号入力部に画像信号が入力されているか否かを検出する信号検出部と、不揮発性の記憶部と、入力操作を受け付ける操作部と、前記プロジェクターの動作を制御する制御部と、備え、前記記憶部は前記信号検出部が前記画像信号を第１の時間検出しなかった場合に前記光源を消灯するスリープモードを設定するスリープモードフラグを有し、前記制御部は、前記スリープモードフラグがセットされている状態において、前記信号検出部が前記画像信号を前記第１の時間検出しなかった場合に前記光源を消灯し、前記光源を消灯してから第２の時間経過前に前記入力操作部より電源オン操作を検出すると、前記光源を再度点灯した後に前記画像投写部に前記スリープモードを無効にするかの確認メッセージを表示させることを特徴とする。
【００１１】
本適用例によれば、スリープモードにより電源がオフした場合、直後に電源をオンすることにより、スリープモードを解除するかどうかを使用者に選択させる。これによって、使用者が意図しないうちにスリープモードにより電源がオフした場合、直後に起動すれば、スリープモードを解除し、再度自動的に電源がオフされるのを防止するか、スリープモードが働かないように画像信号を入力させるか、を使用者に選択させることが可能となる。
【００１２】
［適用例３］上記適用例１に記載のプロジェクターにおいて、前記記憶部は前記スリープモードの設定を保持するか否かを設定するスリープモード中断フラグをさらに有し、前記制御部は、電源オフ操作を検出した場合に前記スリープモード中断フラグがセットされていたら、前記スリープモードフラグを有効に設定することを特徴とする。
【００１３】
本適用例によれば、スリープモードにより電源がオフした場合、直後に電源をオンすることにより、スリープモードを一時中断し、電源をオフすれば、次の使用時からはスリープモードが再度有効になる。これによって、使用者の意図しないうちにスリープモードにより電源がオフした場合、直後に起動すれば、現在の設定を変更することなく、次回の起動時まで、スリープモードを中断することが可能となる。
【００１４】
［適用例４］上記適用例２に記載のプロジェクターにおいて、前記制御部は、スリープモードを無効にするかの確認メッセージに対し、前記入力操作部より、前記スリープモードを無効にする選択操作を検出した場合、前記スリープモードフラグをクリアすることを特徴とする。
【００１５】
本適用例によれば、スリープモードにより電源がオフした場合、直後に電源をオンすることにより、スリープモードを解除するかどうかを使用者に選択させる。これによって、使用者が意図しないうちにスリープモードにより、電源がオフした場合、直後に起動すれば、スリープモードを解除し、再度自動的に電源がオフされるのを防止するか、スリープモードが働かないように画像信号を入力させるか、を使用者に選択させることが可能となる。
【００１６】
［適用例５］上記適用例２に記載のプロジェクターにおいて、前記記憶部は前記スリープモードの設定を保持するか否かを設定するスリープモード中断フラグをさらに有し、前記制御部は、スリープモードを無効にするかの確認メッセージに対し、前記入力操作部より、前記スリープモードを中断する選択操作を検出した場合、前記スリープモードフラグをクリアするとともに、前記スリープモード中断フラグをセットし、電源オフ操作を検出した場合に前記スリープモード中断フラグがセットされていたら前記スリープモードフラグを有効に設定することを特徴とする。
【００１７】
本適用例によれば、スリープモードにより電源がオフした場合、直後に電源をオンすることにより、スリープモードを解除するか、一時中断するか、または解除しないか、を使用者に選択させる。これによって、使用者の意図しないうちにスリープモードにより電源がオフした場合、直後に起動すれば、現在の設定を変更することなく、次回の起動まで、スリープモードを中断することを使用者に選択させることが可能となる。
【００１８】
［適用例６］本適用例に係るプロジェクターの制御方法は、光源から射出された光を画像情報に応じて画像光に変調して投写する画像投写部と、外部機器から画像信号を入力する信号入力部と、前記信号入力部に画像信号が入力されているか否かを検出する信号検出部と、前記信号検出部が前記画像信号を所定の第１の時間検出しなかった場合に前記光源を消灯するスリープモードを設定するスリープモードフラグを記憶する不揮発性の記憶部と、入力操作を受け付ける操作部と、前記プロジェクターの動作を制御する制御部と、を備えたプロジェクターの制御方法であって、前記スリープモードフラグがセットされている状態において、前記信号検出部が前記画像信号を第１の時間検出しなかった場合に前記光源を消灯するスリープステップと、前記スリープステップの後、第２の時間経過前に前記入力操作部より電源オン操作を検出すると、前記光源を再度点灯した後に前記画像投写部に警告画面を表示するとともに前記スリープモードフラグをクリアする、スリープキャンセルステップと、を有することを特徴とする。
【００１９】
本適用例によれば、スリープモードにより電源がオフした場合、直後に電源をオンすることにより、スリープモードが解除される。これによって、使用者が意図しないうちにスリープモードにより電源がオフした場合、直後に起動すれば、スリープモードが解除されるので、再度、スリープモードにより電源がオフされてしまうのを防止することが可能となる。
【００２０】
［適用例７］本適用例に係るプロジェクターの制御方法は、光源から射出された光を画像情報に応じて画像光に変調して投写する画像投写部と、外部機器から画像信号を入力する信号入力部と、前記信号入力部に画像信号が入力されているか否かを検出する信号検出部と、前記信号検出部が前記画像信号を所定の第１の時間検出しなかった場合に前記光源を消灯するスリープモードを設定するスリープモードフラグを記憶する不揮発性の記憶部と、入力操作を受け付ける操作部と、前記プロジェクターの動作を制御する制御部と、を備えたプロジェクターの制御方法であって、前記スリープモードフラグがセットされている状態において、前記信号検出部が前記画像信号を第１の時間検出しなかった場合に前記光源を消灯するスリープステップと、前記スリープステップの後、第２の時間経過前に前記入力操作部より電源オン操作を検出すると、前記光源を再度点灯した後に前記画像投写部に前記スリープモードを無効にするかの確認メッセージを表示させる、スリープ解除確認ステップと、を有することを特徴とする。
【００２１】
本適用例によれば、スリープモードにより電源がオフした場合、直後に電源をオンすることにより、スリープモードを解除するかどうかを使用者に選択させる。これによって、使用者が意図しないうちにスリープモードにより電源がオフした場合、直後に起動すれば、スリープモードを解除し、再度自動的に電源がオフされるのを防止するか、スリープモードが働かないように画像信号を入力させるか、を使用者に選択させることが可能となる。
【図面の簡単な説明】
【００２２】
【図１】プロジェクターの回路構成を示すブロック図。
【図２】第１実施形態のプロジェクターの動作を示すフローチャート。
【図３】第１実施形態のプロジェクターの警告メッセージ。
【図４】変形例１のプロジェクターの警告メッセージ。
【図５】変形例１のプロジェクターの動作を示すフローチャート。
【図６】変形例２のプロジェクターの動作を示すフローチャート。
【図７】変形例２のプロジェクターの確認メッセージを示す図。
【発明を実施するための形態】
【００２３】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２４】
（第１実施形態）
図１は、本実施形態のプロジェクターの回路構成を示すブロック図である。
図１に示すように、プロジェクター１は、画像投写部１０、制御部２０、記憶部２１、光源制御部２２、操作部２３、画像信号入力部２、画像信号処理部３、ＯＳＤ処理部４、信号検出部５等で構成されており、これらは図示しない筐体の内部に収容されている。
【００２５】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２６】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２７】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
【００２８】
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２９】
上記実施形態では、光源としてランプを用いて投写するプロジェクター１を例示したが、本発明は光源としてＬＥＤ光源やレーザー光源などを用いて投写するプロジェクターにも適用することができる。なお、上記の実施形態では、画像投写部１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３０】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００３１】
記憶部２１は、図示しないフラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では設定データとして、スリープモードフラグ２１ａ、スリープモード中断フラグ２１ｂが記憶部２１に保存される。スリープモードフラグ２１ａは、プロジェクター１に画像信号が入力されない状態が所定時間継続したときに電源をオフするスリープモードが有効か否かを設定する。スリープモード中断フラグ２１ｂは、電源オフ操作を検出したときに、スリープモードフラグ２１ａを有効に設定するか否かを設定する。
【００３２】
操作部２３は、ユーザーがプロジェクター１に対して各種指示を行うための複数の操作キーを備えている。操作部２３が備える操作キーとしては、電源のオン・オフを交互に切り替えるための電源キーや、複数の画像信号入力部２に入力される画像入力端子を切り替えるための入力切替キー、各種設定を行うための設定メニューを重畳表示させるメニューキー、メニューからユーザーが設定項目を選択するカーソルキー、決定キー、エスケープキー等がある。ユーザーが操作部２３の各種操作キーを操作すると、操作部２３は、ユーザーの操作内容に応じた操作信号を制御部２０に出力する。
なお、操作部２３は、遠隔操作が可能なリモートコントローラー（図示せず）（以下「リモコン」ともいう）とリモコン信号受信部（図示せず）を有した構成としてもよい。この場合、リモートコントローラーは、使用者の操作内容に応じた赤外線等の操作信号を発し、リモコン信号受信部がこれを受信して制御情報として制御部２０に伝達する。
【００３３】
画像信号入力部２は、上述したように複数の画像入力端子を備えており、各画像入力端子より、ビデオ再生装置やパーソナルコンピューター等、外部の画像出力装置から、図示しないケーブルを介して画像情報が入力される。
【００３４】
画像信号処理部３は、画像信号入力部２から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３５】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部４は、画像信号処理部３から入力される画像情報を、そのまま液晶駆動部１４に出力する。
【００３６】
信号検出部５は、画像信号入力部２から有効な画像信号が入力されているか否かの検出結果を制御部２０に通知する。
【００３７】
液晶駆動部１４は、ＯＳＤ処理部４から入力される画像情報に従って液晶ライトバルブ１２Ｒ、１２Ｇ、１２Ｂを駆動し、液晶ライトバルブ１２Ｒ、１２Ｇ、１２Ｂは、画像情報に応じた画像を形成し、この画像が投写レンズ１３から投写される。
【００３８】
光源制御部２２は、制御部２０の指示に基づいて、光源１１に対する電力の供給と停止とを制御し、光源１１の点灯及び消灯を切り替える。
【００３９】
次に、本実施形態のプロジェクター１の動作を図２のフローチャートを用いて説明する。
図２に示すように、プロジェクター１が投写中に、信号検出部５が信号無検出状態になった場合（ステップＳ１０１）、制御部２０はスリープモードフラグ２１ａが有効か否かを調べる（ステップＳ１０２）。
スリープモードフラグ２１ａが有効でなければ（ステップＳ１０２：Ｎ）、このフローを終了し、元の投写に戻る（ステップＳ１０３）。スリープモードフラグ２１ａが有効に設定されている場合（ステップＳ１０２：Ｙ）、タイマー２０ａによる計時を開始する（ステップＳ１０４）。
【００４０】
ステップＳ１０５において制御部２０は、信号検出部５から画像信号を検出しているか否かを調べる。画像信号を検出した場合（ステップＳ１０５：Ｙ）、タイマー２０ａを停止し（ステップＳ１０６）、このフローを終了して元の投写に戻る（ステップＳ１０７）。
画像信号を検出していない場合（ステップＳ１０５：Ｎ）、タイマー２０ａが第１の時間（Ｔ１）を経過したか調べる（ステップＳ１０８）。
タイマー２０ａがＴ１を経過していない場合（ステップＳ１０８：Ｎ）、ステップＳ１０５からの処理を繰り返す。タイマー２０ａがＴ１を経過した場合（ステップＳ１０８：Ｙ）、ステップＳ１０９に移行する。
【００４１】
ステップＳ１０９において制御部２０は光源制御部２２により、光源１１を消灯し、電源をオフする。次にタイマー２０ａによる計時を開始する（ステップＳ１１０）。
【００４２】
ステップＳ１１１において制御部２０は、操作部２３より電源オン操作を検出したか否かを調べる。操作部２３が電源オン操作を検出した場合（ステップＳ１１１：Ｙ）、光源制御部２２により、光源１１を点灯させ（ステップＳ１１２）、画像投写部１０に、図３に示す警告画面を表示するとともに、スリープモードフラグ２１ａを無効に設定することでスリープモードを無効にする（ステップＳ１１３）。この後、本フローを終了し元の投写に戻る（ステップＳ１１４）。
【００４３】
一方、操作部２３より電源オン操作を検出していない場合（ステップＳ１１１：Ｎ）、タイマー２０ａが第２の時間（Ｔ２）を経過したか否かを調べる（ステップＳ１１５）。タイマー２０ａがＴ２を経過していない場合（ステップＳ１１５：Ｎ）、ステップＳ１１１からの処理を繰り返す。タイマー２０ａがＴ２を経過した場合（ステップＳ１１５：Ｙ）、制御部２０はプロジェクター１をスタンバイ状態に移行し（ステップＳ１１６）、本動作フローを終了する。
【００４４】
以上説明したように、本実施形態のプロジェクター１によれば、スリープモードにより電源がオフした場合、直後に電源をオンすることにより、スリープモードが解除される。これによって、使用者が意図しないうちにスリープモードにより電源がオフした場合、直後に起動すれば、スリープモードが解除されるので、再度、スリープモードにより電源がオフされてしまうのを防止することが可能となる。
【００４５】
（変形例１）
上記実施形態では、プロジェクター１はスリープモードにより電源がオフした場合、直後に電源をオンすることにより、スリープモードを解除するが、次回起動時までスリープモードを中断するようにしてもよい。
本変形例のプロジェクター１の動作を図５のフローチャートを用いて説明する。
【００４６】
〔スリープモード直後の電源オン時の動作〕
スリープモードに移行する際のステップＳ１１２までの動作は図２と同じである。
本変形例では、図２のステップＳ１１３に相当するステップおいて、図４に示す警告画面を表示し、ステップＳ１１４に相当するステップおいて、このフローを終了し元の投写に戻る際にスリープモード中断フラグ２１ｂをセットする（図示せず）。
【００４７】
〔電源オフ操作時の動作〕
プロジェクター１が投写中に操作部２３より電源オフ操作を検出すると（ステップＳ２０１）、制御部２０はスリープモード中断フラグ２１ｂがセット（ＯＮ）されているか否かを調べる（ステップＳ２０２）。
スリープモード中断フラグ２１ｂがセットされている場合（ステップＳ２０２：Ｙ）、スリープモードフラグ２１ａを有効に設定し（ステップＳ２０３）、スリープモード中断フラグをクリアする（ステップＳ２０４）。
一方、スリープモード中断フラグ２１ｂがセットされていない場合（ステップＳ２０２：Ｎ）、ステップＳ２０５に移行する。
【００４８】
ステップＳ２０５において、制御部２０は、光源制御部２２により光源１１を消灯し、電源をオフする。その後、スタンバイ状態に移行し（ステップＳ２０６）、本動作フローを終了する。
【００４９】
以上説明したように、本変形例のプロジェクター１によれば、スリープモードにより電源がオフした場合、直後に電源をオンすることにより、スリープモードを一時中断し、電源をオフすれば、次の使用時からはスリープモードが再度有効になる。これによって、使用者の意図しないうちにスリープモードにより電源がオフした場合、直後に起動すれば、現在の設定を変更することなく、次回の起動時まで、スリープモードを中断することが可能となる。
【００５０】
（変形例２）
上記実施形態では、プロジェクター１はスリープモードにより電源がオフした場合、直後に電源をオンすることにより、スリープモードが解除するが、スリープモードを解除するか否かの確認画面を表示し、使用者に選択させるようにしてもよい。
本変形例のプロジェクター１の動作を図６のフローチャートを用いて説明する。
【００５１】
〔スリープモード移行時の動作〕
図６に示すように、プロジェクター１が投写中に、信号検出部５が信号無検出状態になった場合（ステップＳ３０１）、制御部２０はスリープモードフラグ２１ａが有効か否かを調べる（ステップＳ３０２）。
スリープモードフラグ２１ａが有効でなければ（ステップＳ３０２：Ｎ）、このフローを終了し元の投写に戻る（ステップＳ３０３）。
スリープモードフラグ２１ａが有効に設定されている場合（ステップＳ３０２：Ｙ）、タイマー２０ａによる計時を開始する（ステップＳ３０４）。
【００５２】
ステップＳ３０５において制御部２０は、信号検出部５から画像信号を検出しているか否かを調べる。
画像信号を検出した場合（ステップＳ３０５：Ｙ）、タイマー２０ａを停止し（ステップＳ３０６）、本動作フローを終了し元の処理に戻る（ステップＳ３０７）。
画像信号を検出していない場合（ステップＳ３０５：Ｎ）、タイマー２０ａが第１の時間（Ｔ１）を経過したか調べる（ステップＳ３０８）。
タイマー２０ａがＴ１を経過していない場合（ステップＳ３０８：Ｎ）、ステップＳ３０５からの処理を繰り返す。タイマー２０ａがＴ１を経過した場合（ステップＳ３０８：Ｙ）、ステップＳ３０９に移行する。
【００５３】
ステップＳ３０９において制御部２０は光源制御部２２により、光源１１を消灯し、電源をオフする。次にタイマー２０ａによる計時を開始する（ステップＳ３１０）。
【００５４】
ステップＳ３１１において制御部２０は、操作部２３より電源オン操作を検出したか否かを調べる。操作部２３が電源オン操作を検出した場合（ステップＳ３１１：Ｙ）、光源制御部２２により、光源ランプ１１ａを点灯することで光源１１を点灯させ（ステップＳ３１２）、画像投写部１０にスリープモードを解除するかどうかの、図７に示す確認画面を表示する（ステップＳ３１３）。
【００５５】
ステップＳ３１４において、制御部２０はスリープモードを解除するかどうかの確認画面に対し、スリープモードを中断する選択をしたか否かを調べる。
スリープモードを中断する選択をした場合（ステップＳ３１４：Ｙ）、スリープモード中断フラグ２１ｂをセットし（ステップＳ３１５）、ステップＳ３１６に移行する。
スリープモードを中断する選択をしていない場合（ステップＳ３１４：Ｎ）、ステップＳ３１７に移行する。
【００５６】
ステップＳ３１７において、スリープモードを解除する選択をしたか否かを調べる。
スリープモードを解除する選択をした場合（ステップＳ３１７：Ｙ）、ステップＳ３１６においてスリープモードフラグ２１aをクリアし、このフローを終了し元の投写に戻る（ステップＳ３１８）。
スリープモードを解除する選択をしていない場合（ステップＳ３１７：N）は、このフローを終了し元の投写に戻る（ステップＳ３１８）。
【００５７】
一方、操作部２３より電源オン操作を検出していない場合（ステップＳ３１１：Ｎ）、タイマー２０ａが第２の時間（Ｔ２）を経過したか否かを調べる（ステップＳ３１９）。
タイマー２０ａがＴ２を経過していない場合（ステップＳ３１９：Ｎ）、ステップＳ３１１からの処理を繰り返す。タイマー２０ａがＴ２を経過した場合（ステップＳ３１９：Ｙ）、制御部２０はプロジェクター１をスタンバイ状態に移行し（ステップＳ３２０）、本動作フローを終了する。
【００５８】
〔電源オフ操作時の動作〕
電源オフ操作時の動作は図５と同じなので省略する。
【００５９】
以上、説明したように、本変形例のプロジェクター１によれば、スリープモードにより電源がオフした場合、直後に電源をオンすることにより、スリープモードを解除するかどうかを使用者に選択させる。これによって、使用者が意図しないうちにスリープモードにより、電源がオフした場合、直後に起動すれば、スリープモードを解除し、再度自動的に電源がオフされるのを防止するか、スリープモードが働かないように画像信号を入力させるか、を使用者に選択させることが可能となる。また、現在の設定を変更することなく、次回の起動まで、スリープモードを中断させることを選択することも可能となる。
【符号の説明】
【００６０】
１…プロジェクター、２…画像信号入力部、３…画像信号処理部、４…ＯＳＤ処理部、５…信号検出部、１０…画像投写部、１１…光源、１２Ｒ，１２Ｇ，１２Ｂ…液晶ライトバルブ、１３…投写レンズ、１４…液晶駆動部、２０…制御部、２１…記憶部、２２…光源制御部、２３…操作部。
【図１】
2012141486.tif 000003
【図２】
2012141486.tif 000004
【図３】
2012141486.tif 000005
【図４】
2012141486.tif 000006
【図５】
2012141486.tif 000007
【図６】
2012141486.tif 000008
【図７】
2012141486.tif 000009